【事件の表示】
　上記当事者間の特許第３２６５９５８号発明「広告情報の更新方法」の特許無効審判事件について、次のとおり審決する。
【結　論】
　本件審判の請求は、成り立たない。
　審判費用は、請求人の負担とする。
【理　由】
　１　手続の経緯
　本件特許第３２６５９５８号は、平成７年１２月６日に出願（特願平７−３１７８７２号）され、平成１４年１月１１日に特許権の設定登録が行われたものである。
　そして、本件無効審判請求後の手続きの経緯は以下のとおりである。
　
無効審判請求　　　　　　　　　　　　　：平成１９年１２月　７日
答弁書　　　　　　　　　　　　　　　　：平成２０年　３月１４日
口頭審理陳述要領書（請求人）　　　　　：　　　　　　６月２５日
上申書（請求人）　　　　　　　　　　　：　　　　　　６月２５日
口頭審理陳述要領書（被請求人）　　　　：　　　　　　６月２５日
口頭審理陳述要領書（被請求人２回目）　：　　　　　　６月２５日
口頭審理　　　　　　　　　　　　　　　：　　　　　　６月２５日
上申書（請求人２回目）　　　　　　　　：　　　　　　７月　４日
上申書（被請求人）　　　　　　　　　　：　　　　　　７月　４日
　
　
　２　本件発明
　本件特許第３２６５９５８号に係る発明は、明細書及び図面の記載からみて、その特許請求の範囲の請求項１ないし請求項７に記載された次のとおりのものである。
「【請求項１】　サーバが、コンピュータネットワークを介して接続される広告依頼者の端末に対し、複数の項目の内容を含んだ広告情報の入力を促す一方、記憶手段に予め記憶された地図情報に基づいて地図を表示させて、当該地図上において広告対象物の位置指定を促す段階と、
　前記広告依頼者の端末によって位置指定された広告対象物の座標を、当該端末によって入力された広告情報と関連づけて、前記サーバが前記記憶手段に記憶させる段階とによって登録した広告情報を更新する広告情報の更新方法であって、
　記憶された広告情報において更新すべき項目の内容を含む更新情報を、前記サーバが取得する段階と、
　記憶された広告情報に含まれる項目の内容を、当該更新情報に含まれる項目の内容に、前記サーバが変更する段階とを備えることを特徴とする広告情報の更新方法。
【請求項２】　前記更新情報は、予め定められた入力フォーマットにしたがっていることを特徴とする請求項１記載の広告情報の更新方法。
【請求項３】　前記更新情報には、広告依頼者全てに共通のヘッダ項目と、
広告依頼者の業種毎に異なる顧客情報項目とが含まれることを特徴とする請求項１記載の広告情報の更新方法。
【請求項４】　前記更新情報は、前記項目を前記サーバが認識可能なコード情報と組になっていることを特徴とする請求項１乃至３のいずれか記載の広告情報の更新方法。」
【請求項５】　前記更新情報は、更新予定日時情報を含み、
　前記サーバは、計時手段が示す日時と前記更新予定日時情報とを比較して、これが一致したときに、記憶された広告情報に含まれる項目の内容を、前記更新情報に含まれる項目の内容に変更することを特徴とする請求項１に記載の広告情報の更新方法。
【請求項６】　前記広告依頼者の端末によって位置指定された広告対象物の座標を、当該端末によって入力された広告情報と関連づけて、前記サーバが前記記憶手段に記憶させる段階の後、
　前記サーバが、再度、広告依頼者の端末に対し広告情報の入力を促す段階と、
　記憶された広告情報を、再度入力された広告情報に、前記サーバが変更する段階とをさらに備えることを特徴とする請求項１乃至５のいずれか記載の広告情報の更新方法。
【請求項７】　前記サーバは、
　広告依頼者の端末から電子メールとして送信された更新情報を、該電子メールに割り当てられたメールボックスから読み出して、該更新情報を取得することを特徴とする請求項１乃至６のいずれかに記載の広告情報の更新方法。」
（以下、請求項１ないし請求項７に係る発明を、それぞれ本件発明１ないし本件発明７という。）
　
　
　３　請求人の主張の概要
　３−１　無効理由および証拠方法
＜無効理由＞
　本件の請求項１ないし７に係る発明は、本件出願前に頒布された刊行物である甲第１号証ないし甲第８号証に記載された発明及び周知技術に基づいて、当業者が容易に発明をすることができたものであるから、特許法第２９条第２項の規定により特許を受けることができない。
　
［証拠方法］
　甲第１号証　ＮＴＴ　Ｒ＆Ｄ　Ｖｏｌ．３９　Ｎｏ．６　１９９０年　「高付加価値型番号案内システム」
　甲第２号証　特開平１−１０３８３号公報
　甲第３号証　特開平２−１０１５８０号公報
　甲第４号証　特開平５−９４１２９号公報
　甲第５号証　日経パソコン　１９９５年６月５日号　第１５８〜１６６頁
　甲第６号証　特開平７−４６２０５号公報
　甲第７号証　特開平３−１３２２５０号公報
　甲第８号証　特開昭５９−２００５５９号公報
　
　また、請求人は周知技術として以下の刊行物を提出した。
　甲第１０号証　K.WESTLAND編「パソコン・マッピング入門−地図の図形処理−」昭和６２年３月２７日、日刊工業新聞社発行、第１頁、第３５頁
　甲第１１号証　（社）日本コンピュータ・グラフィックス協会編「コンピュータ・マッピング入門」１９８８年１１月４日、日本経済新聞社発行、第３４頁〜第３７頁、第５８頁〜第６１頁、第１４１頁〜第１４５頁
　甲第１２号証　「コンピュータ・マッピング（これからの画像情報シリーズ２）」１９９２年１０月１６日、株式会社　昭晃堂発行、第７８頁〜第８１頁、第１１２頁〜第１１４頁、第１１６頁〜第１２１頁、第１５２頁〜第１５５頁
　甲第１２号証の２　「コンピュータ・マッピング（これからの画像情報シリーズ２）」１９９２年１０月１６日、株式会社　昭晃堂発行、第８８頁〜第９０頁
　甲第１３号証：特開平１−２７１８７７号公報
　甲第１４号証：特開平５−６１４０７号公報
　甲第１５号証：特開平５−６６７１２号公報
　甲第１７号証：特開平４−１７７５７４号公報
　
　３−２　被請求人の主張
＜無効理由＞に対して
　本件の請求項１ないし請求項７に記載された発明は、甲第１号証ないし甲第８号証に記載された発明及び周知技術に基づいて、当業者が容易に発明をすることができたものではなく、特許法第２９条第２項の規定により拒絶されるべきものでなく特許を受けられるものである。
　
　４　甲第１号証ないし甲第８号証
　４−１　甲第１号証には、以下の記載がある。
１．高付加価値型番号案内システム（ＣＵＰＩＤ）の概要
「ＣＵＰＩＤでは，電話帳情報に住宅地図情報，広告情報，伝言情報を有機的に連動し，これらの情報を電話帳情報とともに案内するサービスを実現した．」（８３３ページ）
「現在の電話帳情報は，「名前」「電話番号」「住所」「職業分類」の項目から構成され，これらの項目をキーワードとして該当する電話番号が抽出できる．「地図上の位置を表す座標」や企業の「広告」などを付加すれば，電話帳をインデックスとして，電話帳掲載のお客さまの様々な情報が得られ，日常生活の利便向上に役立てることができる．」（８３４ページ）
「３．２　システム構成
　本システムは，東京２３区の電話帳情報と企業付加情報を収容する情報センタとお客さまの端末およびこれらを接続する公衆網（加入電話網，ビデオテックス網，ファクシミリ網）とから構成される（図１）．」（８３４〜８３５ページ）
「表１　ＣＵＰＩＤのサービス概要と利用できる端末
　地図案内サービス　１．電話帳掲載者の周辺の地図案内
　　　　　　　　　　２．地図上で領域を指定する電話帳の検索」（８３５ページ）
「表４　データベース一覧（記載内容は省略）」（８３８ページ）
「４．２　電話帳データベースと地図データベースの結合
　電話帳情報と地図情報の結合により，電話帳掲載者の周辺の地図を表示したり，逆に地図上で電話帳情報を検索するための領域を指定可能とした．具体的には，電話帳情報に地図上の座標情報を追加することにより，電話帳情報を地図上の位置へ対応付けた．
　４．３　電話帳データベースと広告データベースの結合
　企業の広告情報として，多様な利用形態を評価する観点から，次の３種類の広告を電話帳と関連付けて格納した．
（１）簡易広告：１〜２行の簡単な広告
（２）画面広告：画面単位の広告
（３）営業内容広告：営業時間，設備状況等，業種ごとに統一した営業内容に関する情報
　簡易広告は、複数の電話帳掲載者の電話帳情報が表示されている時に，表示項目の一項目として表示され，同一業種の企業や店を選ぶ際の補助的な情報として利用できる．
　一方，画面広告は，特定の電話帳掲載者が指定された場合に表示され，メディアとして，文字，イメージデータ，ビデオ動画をサポートした．
　営業内容広告は，電話帳の検索条件として利用する．例えば，「授業料が２０万円以下の英会話学校」のような検索が可能である．」（８３９ページ）
「（２）電話帳情報と地図情報，広告情報，伝言情報を有機的に結合した付加価値サービスを実現した．」（８３９ページ）
　
２．高付加価値型番号案内システム（ＣＵＰＩＤ）の電話帳検索方式
「３．１　電話帳情報の構成要素
　ＣＵＰＩＤで扱う電話帳情報の構成要素として、以下の項目がある．
（１）名義
　５０音別企業電話帳や職業別電話帳では「企業名」、５０音別個人電話帳では、「姓」「名」からなる。さらに「企業名」は、会社名である「主掲載名」と会社組織を表す「下部組織名」に分類される．
（２）場所情報
　行政区分を表す「住所」および、地理的な位置を表す「座標」が考えられる．（ただし、現在の電話帳には、「座標」は含まれていない．）
（３）職業
　電話帳に掲載される企業やお店の業種を分類したもので、職業分類という．
（４）電話番号
　ここで、「名義」「座標」「電話番号」は、電話帳に掲載される企業やお店等の掲載者に依存するデータであるため、異動を考慮すると直接電話帳の検索キーとすることが望まれる．
　一方、「住所」「職業」の分類は、電話帳掲載者とは独立に管理できる情報であり、これらをコード化し、電話帳の検索キーとすることも考えられる．
　３．２　電話帳の利用形態と検索仕様
　電話帳の調べ方は，目的によって次の３つに大別できる．
（１）名義による検索
　「名義」＋「住所」等により電話番号を調べる．（検索相手をひとり特定する）
（２）職業による検索
　「職業」＋「住所」等により該当する会社やお店を調べる．（検索相手を特定しない）
（３）電話番号による検索
　「電話番号から逆引きし，電話帳掲載者の「名義」「住所」を確認する．・・・
　これら３つの調べ方に加えて，住所の区名や町名が不確かな場合，「○○駅近く」など，目標物を指定したり，地図上で領域を指定する方法が有効である．
　本システムでは，これらの目的に対応するため，「名義」「住所」「職業」「電話番号」に加えて，「目標物」，地図上で指定した「領域」を検索条件項目とし，これらの条件を組み合わせることにより，多様な検索を実現した．」（８４２ページ〜８４３ページ）
「「目標物」を指定した場合，その周辺領域を条件とする検索を実現するため，目標物の位置を示す２次元の座標情報に変換し，これを中心とする決められた範囲の矩形の「領域」で電話帳を検索するようにした．
　「領域」で検索可能とするため，電話帳データベースには，地図上の座標情報を収容した．」（８４４ページ）
　
３．高付加価値型番号案内システム（ＣＵＰＩＤ）における地図情報利用技術
「（１）異種ＤＢである電話帳ＤＢと地図ＤＢを自動結合する技術を提案し，「名義」＋「住所」により結合処理を行い，約６０％の結合率を得た．」（８５１ページ）
「本システムでは、付加価値の１つとして地図情報を取り上げ，これを利用した種々の付加価値サービスを実現している。電話帳に掲載されている企業や店の所在地を地図上で案内する，地図上で指定した領域内からレストランを探し出す等がその一例である．」（８５１〜８５２ページ）
「２．１　地図情報を利用する付加価値サービス
　本システムでは，地図情報を利用した以下の５種類の付加価値サービスを実現することとした．
（１）目標物による検索案内サービス
　指定された目標物（駅，学校，博物館等）を中心とした矩形領域の範囲から企業や店を調べる．
（２）範囲指定による検索案内サービス
　地図上で指定した矩形領域内からレストラン等の企業や店を調べる．
（３）目標物指定検索サービス
　調べた企業や店をさらに目標物として新たな企業・店を調べる．
（４）所在地案内サービス
　種々の条件の下に調べた企業・店等の所在地を地図上で指示案内する．
（５）ピック検索案内サービス
　地図上でピック指定された建物内の企業名を案内する．
２．２　開発技術
　この付加価値サービスを実現するために，以下の技術を開発する．
（１）電話帳ＤＢと地図ＤＢの結合
　地図情報を利用した付加価値サービスでは，「電話帳情報から地図情報の参照・案内」および，「地図情報から電話帳情報の参照・案内」という双方向のサービスを実現する．このため，電話帳ＤＢと地図ＤＢの間に関連付け（電話帳ＤＢと地図ＤＢの結合）を行う．」（８５２ページ）
「３．２　電話帳ＤＢと地図ＤＢの結合処理
　電話帳ＤＢと地図ＤＢの関連付けは，地図座標データを電話帳掲載者ごとに付与することにより行った（図１）．
　住宅地図は，建物ごとの名義，住所，座標および表示用地図データ等からなり，電話帳は，名義，住所，電話番号等からなる．地図座標データを電話帳掲載者に付与するため，各々独立に作成された住宅地図と電話帳を，両者の共通情報である「名義」と「住所」により自動照合した．本照合により，住宅地図の座標を，対応する電話帳掲載者に付与し、座標付きの電話帳ＤＢを作成した．」（８５２〜８５３ページ）
「図１　電話帳ＤＢと地図ＤＢの結合および地図データ構造（記載内容は省略）」（８５３ページ）
「３．４．１　地図データ収容方式
　地図データの収容方式については、地図案内の応答時間，作成・補正等のメンテナンスを考慮する必要があり，（１）センタ収容方式，（２）端末収容方式，の２形態が考えられる（表５）．データのメンテナンスにおいてセンタ収容方式が望まれるが，オンラインサービスにおいてはマンマシンインタフェース上，応答時間を短縮することが重要である．」（８５５ページ）
「また，実データを用いて技術確認を実施した結果，以下の成果が得られた．
（１）電話帳ＤＢと地図ＤＢの結合は，自動結合処理を行った結果約６０％について結合することができた．」（８５６ページ）
　
４．高付加価値型番号案内システム（ＣＵＰＩＤ）の広告・伝言情報処理方式
「本論文では，広告・伝言情報と電話帳情報の結合方式と広告・伝言の登録更新，参照の処理方式について述べる．」（８５７ページ）
「本システムでは，電話帳情報をリレーショナルＤＢとして格納している．すなわち，電話帳情報は，電話帳の掲載単位を「行」（電話帳レコードと呼ぶ）に，検索対象項目（住所，名前等）を「カラム」として電話帳テーブルに格納した．
　電話帳情報と有機的に結合したオンライン広告，掲示板サービスを実現するには、次の課題は解決して，リレーショナルＤＢへの格納形式および電話帳テーブルと連携した処理方式を実現する必要がある．
（１）広告の多様や利用形態，各種メディアに対応できる処理・管理方式
（２）利用者の各種端末から広告を参照・登録更新する処理方式
（３）広告登録・更新におけるセキュリティを確保する利用者管理方式」（８５８ページ）
「３．１　広告の種類
　電話帳と結合した広告情報の利用形態として，（１）検索された企業のリストから各々の広告情報を比較しながら絞り込むために利用する形態，（２）検索された企業の詳しい情報を個々に参照する形態，（３）企業の営業内容を条件に検索された企業を絞り込む形態，が考えられ，それぞれに対応して，（１）簡易広告，（２）画面広告，（３）営業内容広告と呼称する３種類の広告を設けた（表１）．」（８５８ページ）
「表１　広告の種類（記載内容は省略）」（８５８ページ）
「以上の点から，電話帳情報との結合方式は，電話帳情報と同時に検索され，データ量が少なく定型的な簡易広告と営業内容広告は，電話帳テーブルへ格納する方式を，多様なメディアが使用可能でデータ量が大きく，１広告ごとに参照する画面広告は，別のテーブルに格納して掲載ごとに付与した掲載ユニークコードで対応づける方式を採用した（図１）．
　３．２．２　簡易広告の検索
　簡易広告は，検索された電話帳掲載者の情報を表示する際に，一表示項目として表示される広告であり，電話帳テーブルの１カラムとして収容し，電話帳情報「掲載名」「電話番号」「住所」と同時に参照する方式とした．」（８５９〜８６０ページ）
「３．２．４　営業内容広告の検索
　営業内容広告は，企業等を検索する際，職業に加え詳細な絞り込み条件として使用できるようにするため，以下を検討する必要がある．
（１）営業内容の項目
（２）営業内容の検索方式」（８６０ページ）
「表３　営業内容項目一覧（記載内容は省略）」（８６１ページ）
「３．３　広告の登録・更新方式
　本システムでは，端末に格納された動画広告を除いて，広告情報を広告の持主が端末から即時登録・更新する機能を実現した．
　広告の登録・更新機能を利用者に提供する場合，以下の点に留意することが重要である．
（１）第３者によるいたずら防止等を考慮したセキュリティ管理機能
（２）目的とする電話帳レコードへの広告の登録，更新および管理機能
３．３．１　セキュリティ管理
　セキュリティ管理では，（１）利用者認証（契約した本人かどうかの識別），（２）データアクセス管理（間違った掲載への広告の登録防止），が重要である．
　（１）については，端末，電話回線等に制約されない利用者ＩＤおよびパスワードによる認証を採用し，さらに１つの利用者ＩＤを複数の人が利用することを考慮して広告登録サービス利用時に広告登録パスワードによる認証を併用してセキュリティを高めた．」（８６１ページ）
「図３　広告の登録・更新に関するテーブル関連図（記載内容は省略）」（８６２ページ）
　
５．高付加価値型番号案内システム（ＣＵＰＩＤ）の利用者端末の開発
「本システムは，一般の利用者が直接端末を操作するタイプの情報案内システムであり，電話帳，地図，広告，伝言等の情報を案内する．」（８６５〜８６６ページ）
「３．１　端末の種類と機能
　利用者端末として，パソコン端末および公衆利用型端末を開発した．利用者端末から利用できるサービスの画面体系を図１に示す．
　さらに，各利用者端末がサポートするサービス範囲を表１に示す．」（８６６ページ）
「図１　利用者端末の画面体系（記載内容は省略）」（８６７ページ）
「表１　利用者端末の提供サービス（記載内容は省略）」（８６８ページ）
　
　以上の記載から、甲第１号証には、以下のような発明が記載されていると認めることができる．
「１　電話帳情報と、住宅地図情報、広告情報、伝言情報を有機的に連動し、これらの情報を電話帳情報とともに案内するサービスであって、
　２　ＣＵＰＩＤセンタと利用者が使用するパソコン端末等が公衆電話網を介して接続されており、
　３　ＣＵＰＩＤセンタからパソコン端末等に電話帳情報や住宅地図情報、広告情報等が供給されるものにおいて、
　４　電話帳情報は電話帳掲載者の情報であって、名義（姓名、企業名）、電話番号、住所、職業などの情報から構成され、電話帳ＤＢに格納されており、
　５　住宅地図情報は、表示用地図データ、建物毎の名義、住所、（地図上の位置を示す）座標などから構成され、地図ＤＢに格納されており、
　６　広告情報には、簡易広告、画面広告、営業内容広告などの情報があり、
　７　電話帳情報と住宅地図情報に基いて、両者の共通情報である「名義」と「住所」により自動照合し、電話帳情報に座標を対応付けた電話帳ＤＢが作成され、
　８　広告情報のうち、簡易広告と営業内容広告は、それぞれ電話帳情報の１項目として電話帳情報に結合され、電話帳ＤＢに格納され、
　９　パソコン端末から検索キーとして、名義、住所、職業、電話番号、目標物、地図上の領域などが指定されると、これに対応する情報が電話帳ＤＢから検索され、
　１０　番号案内サービスにおいて、検索条件に合う電話帳掲載者の情報が提示され、
　１１　地図案内サービスにおいて、電話帳ＤＢ中の当該電話帳掲載者に対応する座標に基づき、地図ＤＢが検索されて当該電話帳掲載者の付近の地図が表示案内され、
　１２　ピック検索案内サービスにおいて、地図上でピック指定された建物内の企業名が案内され、
　１３　また、電話帳掲載者の情報を提示する場合、広告サービスにおいて、電話帳掲載者の簡易広告や営業内容広告が表示され、
　１４　電話帳情報と結合した広告情報は、端末、電話回線等に制約されない利用者ＩＤおよびパスワードによる認証を経て、広告の持主がパソコン端末から即時登録・更新することができる、
　高付加価値型番号案内システム」
（なお、１２　の内容は、データベースの構造から見て、「利用者に所定領域の地図を表示し、利用者が該地図上に表示された建物（イメージ）の１つの位置を指定すると、その建物位置の座標に対応する情報を電話帳ＤＢから検索し、電話帳掲載者［企業名］の情報を表示案内する」という意味に解釈できる。）
　
　４−２　甲第２号証には、以下のような発明が記載されている。
「１　電話番号と、該電話番号の該当地区の地図等のデータ検索システムに関し、
　２　電話番号、住所、持ち主、住所コード等のデータと、住所コードに対応した複数のイメージデータを対応させ、また、表示された地図の該当地番の場所にポイントを表示するための地番座標変換テーブルを備え、
　３　電話番号あるいは住所コードを入力すると、該当する地図（区分地図）を表示し、かつ、地番に対応する地番ポイントを地図上に表示（第２図、１４）するものであって、
　４　指定された地区の地図を表示し、該地図画面上にライトペン等により所望の位置を指定してその座標を読み取らせるとともに、キーボードにて角番地、住所コードのデータを入力して、座標−角番地対応テーブルが作成され、続いて地番座標変換テーブルを自動作成する、地番座標変換テーブル作成システムを有する、
　　　電話番号−地図データ処理システム。」
　
　４−３　また、甲第３号証には、以下のような発明が記載されている。
「１　災害通報電話等からの通報者または災害場所の決定システムであって、
　２　通報された特定されるエリアに該当する地図をタッチパネルを有するディスプレイ上に表示し、
　３　地図上に表示された建物、橋などの目標とする対象物を判断し、当該目標物点をタッチすることにより、目標地点の地図座標が入力され、
　４　該地図座標に対応するメッシュエリアの住所・地名・目標物のリストを表示し、これを選択することにより目標地点の決定を行う、
　　　地点決定方式。」
　
　４−４　また、甲第４号証には、以下のような発明が記載されている。
「１　ユーザによって施設の情報を登録できる機能を備えたナビゲーション装置におけるメモ情報を効果的に表示する装置において、
　２　ユーザは、表示地図上において、その施設が存在する位置をカーソルによって設定し、その後、その施設の名称などを文字、アルファベット等で入力し、また、施設の位置を表示する際の目印となる記号を入力することにより、その施設の位置や内容、目印等を装置に登録することができ、
　３　ナビゲーション装置側では、係るメモ情報の位置および内容を互いに関連付けてメモリに記憶し、
　４　車両の現在位置を表示している地図上に登録された記号が表示され、現在位置と登録地点とを同時に表示できないときは、地図の表示領域ないし縮尺を変更して、現在位置と登録地点とを同時に表示できるようにした、
　　　地図情報表示装置。」
　
　４−５　また、甲第５号証には、以下のような発明が記載されている。
「１　デジタル地図上にユーザー独自の情報を登録する機能を持つ、パソコンで利用できるデジタル地図である。
　２　地図上にアイコン、コメントなどをユーザーが設定できる。（図１）
　３　アイコンを設定し、名称、電話番号、メモなどの項目をユーザーが設定できる。（図３）
　４　個人情報は地図上にアイコンを設定し、タイトル、属性、メモ、画像などの項目を登録できる。（図５）
　５　地図上にアイコンを配置でき、そこに名前、住所、種類、キーワード、メモなどの情報を登録できる。（図６）」
　
　４−６　また、甲第６号証には、以下のような発明が記載されている。
「１　特定位置にある宣伝用ミニ放送局から特定位置に対応する特定周波数の電波が送信されるシステムにおいて、
　２　自動車等に設置された受信機が上記特定周波数の電波を受信したとき、当該特定周波数から特定位置を検出して、受信機が該特定位置を表示するものであって、
　３　宣伝用ミニ放送局において、更新情報を含む送信データを取得してデータの更新を行うもの」
　
　４−７　また、甲第７号証には、以下のような発明が記載されている。
「１　通信ネットワーク上に構成される電子掲示板において、
　２　掲示期限管理部がデータベース内から掲示期限が来た掲示情報を取出し、データの消去および更新を行うもの」
　
　４−８　また、甲第８号証には、以下のような発明が記載されている。
「１　電子メールシステムにおいて、
　２　送信されたメールは宛先となる利用者のメール局内に存在するメールボックスに蓄積され、メールは、必要に応じて、各利用者が自分のメールボックスにアクセスして取得するもの」
　
　
　５　対比・判断
　まず、請求項に記載された「広告情報」の意味を検討する。
　本願明細書には、
「【００１６】
　（中略）
　そして、記憶手段１７には、顧客ファイルが記憶されている。かかる顧客ファイルは、店登録番号毎に作成されるものであり、１つの店登録番号に対応する顧客ファイルは、登録者ＩＤ、パスワード、店舗情報、（ｘ，ｙ）情報等のように店舗固有の情報から構成される。このうち、店舗情報は、さらに店名や、電話番号、ファックス番号、（最寄り駅から店舗までの）行程、店舗の業種を示す業種情報、（他の情報と結びつける場合に、参照すべきネットワーク上の情報の行先を示す）リンク情報、（広告の内容を示す）広告メッセージ等のように、広告対象の店舗に関する種々の情報から構成される。本願の広告情報とは、狭義では広告メッセージを指すが、広義には、店舗情報よりも上位であって、顧客ファイル作成に必要な情報のすべてを指す。なお、店登録番号は、端末からの登録があった場合に、制御手段１１により自動的に付与されるものである。」
　という記載がある。
　したがって、本件発明１における「広告情報」とは、顧客ファイル作成に必要な情報、すなわち広告メッセージのみならず、電話番号、業種、店名等の店舗情報、登録者ＩＤ、パスワードなど（本願の図２参照）を示すものであると理解される。
　
　本件発明１と甲第１号証に記載されたものとを対比すると、甲第１号証記載の「ＣＵＰＩＤセンタ」、「公衆電話網」、「広告の持主のパソコン端末」は、本件発明１の「サーバ」、「コンピュータネットワーク」、「広告依頼者の端末」に相当し、甲第１号証記載の「電話帳情報」は、名義、電話番号、職業、および簡易広告や営業内容広告を含む情報であるから、本件発明１の「複数の項目の内容を含んだ広告情報」に対応する。
　そして、甲第１号証に記載された「電話帳情報と結合した広告情報は、広告の持主が端末から即時登録・更新することができる」ことは、広告の持主が簡易広告や営業内容広告の内容をＣＵＰＩＤセンタに送り、ＣＵＰＩＤセンタは、記憶されている電話帳情報中の項目である「広告（狭い意味の広告情報）」を、送られてきた広告に変更していると理解できるから、前記記載事項は、本件発明１の「登録した広告情報を更新する広告情報の更新方法であって、記憶された広告情報において更新すべき内容を、前記サーバが取得する段階と、記憶された広告情報の内容に、前記サーバが変更する段階」を備えていることに一応対応するということができ、さらに、広告の持主に対しては広告の登録・更新情報の入力を促すことが前提であるから、本件発明１の「広告依頼主に対して、広告情報の入力を促し」ていることに一応対応する。
　
　したがって、本件発明１と甲第１号証に記載されたものは、
　＜一致点＞
「サーバが、コンピュータネットワークを介して接続される広告依頼者の端末に対し、広告情報の入力を促して登録した広告情報を更新する広告情報の更新方法であって、
　記憶された広告情報において更新すべき内容を、前記サーバが取得する段階と、
　記憶された広告情報の内容に、前記サーバが変更する段階と
　を備えることを特徴とする広告情報の更新方法。」
である点で一致し、以下の点で相違している。
　
　＜相違点１＞
　本件発明１は、登録された広告情報が、
「記憶手段に予め記憶された地図情報に基づいて地図を表示させて、当該地図上において広告対象物の位置指定を促す段階と、
　前記広告依頼者の端末によって位置指定された広告対象物の座標を、当該端末によって入力された広告情報と関連づけて、前記サーバが前記記憶手段に記憶させる段階」によって登録されるものであるのに対し、
　甲第１号証は上記構成を具備していない点。
　＜相違点２＞
　本件発明１は、広告依頼者の端末に対して、
「複数の項目の内容を含んだ広告情報の入力を促す」ものであるのに対し、
　甲第１号証には、広告情報（電話帳情報）中の一部の情報（広告）の入力を促すことについて示唆があるものの、上記構成を具備していない点。
　＜相違点３＞
　本件発明１は、
「登録した広告情報を更新する広告情報の更新方法であって、
　記憶された広告情報において更新すべき項目の内容を含む更新情報を、前記サーバが取得する段階と、
　記憶された広告情報に含まれる項目の内容を、当該更新情報に含まれる項目の内容に、前記サーバが変更する段階と
　を備える」ものであるのに対し、
　甲第１号証には、上記構成の示唆はあるものの、上記のような具体的な構成については記載されていない点。
　　
　＜相違点１＞について
　まず、本件発明１における「記憶手段に予め記憶された地図情報に基づいて地図を表示させて、当該地図上において広告対象物の位置指定を促す段階と、
　前記広告依頼者の端末によって位置指定された広告対象物の座標を、当該端末によって入力された広告情報と関連づけて、前記サーバが前記記憶手段に記憶させる段階」の構成の意味を検討する。
　本件明細書には、
Ａ．「【００１９】
２−１：新規登録
　まず顧客ファイルの作成過程である新規登録について説明する。
　サーバ１０に端末１０１が接続されると、制御手段１１は、この接続を入力制御手段１２を介して検知し、メインプログラムにしたがって端末１０１を制御する。図３および図４は、かかるメインプログラムの動作を示すフローチャートである。
　この場合、端末操作者が新規広告依頼者（あるいはその代理人）であるとする。
　まず、図３に示したステップＳａ１において、制御手段１１は、端末１０１の表示部に対し、図５に示すようなメインメニュー画面を表示させ、端末操作者に対して、本実施形態の処理である「地図」、「仮想マーケット」、「検索」、および「登録」の中から所望する処理を選択するように促す。」
Ｂ．「【００２０】
　ここでは、端末操作者は、マウスカーソルＭＣをボタン２１4の表示領域に位置させた後、クリック操作を行なって「登録」の処理を選択する。すると、これを検知した制御手段１１は、手順を図４に示したステップＳｂ１に進ませて、端末１０１の表示部に対し、図６に示すような登録メニュー画面を表示させるように制御する。」
Ｃ．「【００２２】
　ステップＳｂ３において、制御手段１１は、端末１０１に対して、図７に示す位置指定画面を表示させる制御を行なって、端末操作者に対し、広告すべき店舗の位置指定を促す。ここで、表示される地図は、記憶手段１５に記憶された地図ファイルに基づくものである。」
Ｄ．「【００２３】
　ステップＳｂ４において、制御手段１１は、端末１０１に対して、図８〜図１０に示す店舗情報入力画面を表示させる制御を行なって、端末操作者に対し、店舗情報の入力を促す。なお、図８〜図１０に示した店舗情報入力画面は、別個の画面ではなく、ボタン２２Ｕまたは２２Ｄにより上下スクロールする連続画面である。」
Ｅ．「【００２４】
　ボタン２８1が押下されると、制御手段１１は手順をステップＳｂ５に進ませ、入力された店舗情報を、端末１０１の表示部に表示させて、その内容の確認を端末操作者に促す。この際、端末操作者が、店舗情報の再入力を行なうのであれば、所定の操作を行なう。これにより、制御手段１１の制御によって先の店舗情報入力画面に戻る一方、店舗情報に誤りがなければ、手順はステップＳｂ６に進む。
　ステップＳｂ６において制御手段１１は、端末１０１の表示部に対し、「登録しました」旨の表示を行なうとともに、登録メニュー画面、位置指定画面および店舗情報入力画面において入力された情報を、１つの顧客ファイルとして、特に、店舗情報入力画面において入力された情報については店舗情報として記憶手段１７に格納する。この際に付与された店登録番号は、制御手段１１の制御により端末１０１の表示部に表示されて、端末操作者に告知される。この後、制御手段１１は、手順をステップＳｂ１の登録メニュー画面表示に戻す。
　このようにして、新規の広告依頼主が行なった入力に対して１つの顧客ファイルが作成される。」
　という記載がある。
　
　上記記載から、上記＜相違点１＞に係る構成は、「地図上の任意の位置に対応付けて、広告依頼者が新規に広告情報を登録するために、サーバの記憶手段に予め記憶されている地図情報に基づいて広告依頼者の端末に地図を表示させ、当該地図上において広告対象物の位置指定を広告依頼者に促す段階と、
　前記広告依頼者の端末によって位置指定された広告対象物の座標を、広告依頼者の端末によって入力された広告情報と関連づけて、前記サーバが前記記憶手段に記憶させる段階」を意味するものと理解できる。
　これに対し、請求人は、上記相違点１は甲第２号証ないし甲第７号証に記載されたものから当業者が容易に想到し得た旨主張している。
　そこで、甲第２〜７号証記載のものを検討すると、甲第２号証には、上記４−２に記載したように、地図を表示し、その地図上の任意の位置を操作者に指定させ、当該指定した位置の座標と操作者が入力した住所等とを対応付けて記憶するものが記載されており、地図座標と関連づけて所望の情報を登録する手法に関しては上記相違点１と共通する部分もある。
　しかしながら、甲第２号証記載のものは、端末に記憶された地図情報に基づいて端末に地図を表示し、地図上の座標を指定すると共に、端末操作者が入力した情報と前記指定した座標とを関連付けて端末に登録し、そして該情報を端末から読み出して利用するものであり、広告依頼者の端末から入力した広告情報と地図上の座標を関連付けて第三者のサーバに登録するようなものではない。
　要するに、甲第２号証に記載されたものは、地図上の位置と地番とを対応付ける地番座標変換テーブルを作成するようなシステムであって、本件発明１のように、広告依頼者が自分の広告を出すことを目的として、データを管理している第三者のサーバに対し、広告依頼者の端末から座標情報と関連づけて広告を登録することができるようにしたシステムではない。
　また、甲第１号証には、利用者端末から「広告」を登録・更新することができることが記載されているものの、甲第１号証で登録・更新できる「広告」は、既に地図上の座標と電話帳情報とが関連付けられて登録された情報に対して「（狭い意味の）広告」を登録（付加）したり更新することができるということであって、甲第１号証には、利用者端末から広告情報（電話帳情報）と地図上の座標情報を関連付けてサーバに登録できることは記載されていない。
　さらにまた、甲第１号証記載のものにおいて、地図情報を利用した付加価値サービス（目標物による検索案内サービスやピック検索案内サービス等）で対象となる電話帳情報は、簡易広告、画面広告といった狭い意味での広告が登録されている電話帳情報のみではないから、電話帳情報と座標情報との対応付けは、広告が登録される以前から行われている必要がある。つまり、甲第１号証記載のものは、（狭い意味の）広告の登録以前から電話帳情報と座標情報が関連付けられて登録されており、この情報の登録を、広告依頼者ではなく付加情報サービスの提供者（センタ側）が行うことを前提としたシステムである。（そして、この情報の登録に、既存の電話帳情報と住宅地図情報との自動照合による手法を採用している。）したがって、自動照合では座標情報が算出できない等の理由により自動照合以外の手段で電話帳情報と座標情報とを対応付けて登録する必要があるとしても、該登録は付加サービスの提供者が行うことは明らかである。
　よって、甲第１号証に記載されたものと甲第２号証に記載されたものを組み合わせたとしても、広告依頼者自身が新規に広告情報（店舗情報）を登録するために、サーバに記憶された地図情報に基づき広告依頼者の端末に地図を表示させ、その地図上において広告対象物の位置を広告依頼者に指定させ、かつ、広告依頼者が入力した広告情報と前記地図上で指定した位置の座標情報を関連付けてサーバに記憶すること、が容易に想到できたとは認めることができない。
　さらに他の証拠を検討するに、甲第３号証に記載されたものは、すでに座標と住所等とが関連づけられたメッシュ情報ファイルを検索する際の、地図座標の指定に関するものであって、座標と入力情報の登録手法に関するものでない。
　甲第４号証には、地図上の座標情報と入力情報を関連付けて登録し、地図上に登録された情報を自端末（ナビゲーションシステム）で利用する、つまり、地図上に自分で利用するメモ情報等を登録し表示するようなものが記載されており、また、甲第５号証には、パソコンで利用できるデジタル地図において、地図上に自分で利用するメモ情報等を登録し表示するようなものが記載されているが、これらもまた広告依頼者の端末から座標情報と関連づけて広告をサーバに登録し、広告受給者がサーバにアクセスして広告等を見ることができるようなシステムに関するものではなく、上記相違点１に係る事項が記載されているとはいえない。
　そして、甲第６号証に記載されたものは、データの更新に関するものであり、また、甲第７号証に記載されたものは、単なる情報の掲示（一般には電子掲示板と呼ばれる）に関するものであって、本件発明１のように、地図上の座標と関連づけて情報を登録するようなものではない。
（なお、請求人が提出した甲第１７号証には、地図を表示して位置指定を行い、電話帳掲載者に座標を付与することが記載されているが、これもまた、電話帳データベース管理者が自身のデータベースにデータの追加を行うものである。）
　また、甲第８号証には、電子メールシステムにおいて、送信されたメールは、宛先となる利用者のメール局内に存在するメールボックスに蓄積され、各利用者が自分のメールボックスにアクセスして取得するものが記載されているのみである。
　さらに、請求人は、甲第１０号証ないし甲第１５号証を提示し、地図を表示して位置指定による座標入力、属性入力を行う装置をネットワークやＬＡＮを介してネットワークと接続することは周知である旨主張しているが、甲第１０ないし１５号証記載のものは、ホストコンピュータで記憶・管理される情報（地図情報や属性情報）を該ホストコンピュータに接続された端末で作成、修正（編集）、削除するシステム、つまり情報を蓄積・管理しているセンタ（ホスト）のデータを、センタの管理下にある複数の端末によって、作成、照会、編集、登録できるようなシステムに関するものであって、そもそも広告依頼者が広告を出すために、広告依頼者の端末から第三者のホストに情報を登録するようなシステムではないから、広告依頼者が自分の端末から地図座標と広告情報を関連付けてサーバに記憶させることが周知技術であるとは認められず、上記相違点１に係る事項が甲第１０号証ないし甲第１５号証に記載されたものから容易に想到できたということはできない。
（甲第１号証は、地図座標の登録をサービス提供者側すなわちサーバ管理者側が行うことを前提としたシステムであるから、甲第１０号証ないし甲第１５号証記載の周知技術を組み合わせたとしても、広告依頼者ではなくサーバ管理者側の者が、ＣＵＰＩＤに接続された端末から地図座標に関連付けられた情報の登録を行うことが想到できるにすぎないといえる。）
　そして本件発明１は、上記構成を備えることにより、サーバ管理者が広告依頼者からの依頼を受けて地図と関連付けられた広告情報を登録するのでなく、広告依頼者自身が自分の端末からサーバに対して広告情報と関連付けられる地図座標の指定および登録を行うことができるため、広告配布までのタイムラグが短くなるという作用効果が生じるものと認められる。
（なお、明細書に記載はないが、例えば、ある広告依頼者に新たに支店が出来、その支店の広告を出したいときに、広告依頼者の端末から該支店の広告がすぐ登録出来るというような効果があることは、本件発明１の構成から予測できる。）
　ところで、請求人は、口頭審理陳述要領書（第１７ページ〜第２０ページ）において、被請求人の主張する課題は本件特許の明細書の記載に基づかない課題である旨の主張をしているが、本件発明１の方法（登録された広告情報を更新する方法）の前提となる構成（相違点１に係る構成）による効果もまた本件発明１の効果といえるのであるから、上記請求人の主張は採用できない。
　以上のとおり、甲第１号証、甲第２号証〜甲第８号証、甲第１０号証〜甲第１５号証、甲第１７号証に記載されたものを総合しても、広告依頼者が広告を出すために、広告依頼者の端末から、地図上の座標および関連づける広告を、サーバに登録するようなことは、前記した刊行物に記載されているとも、あるいは周知技術であるとも認められないので、上記相違点１に係る事項、すなわち、サーバの記憶手段に予め記憶された地図情報に基づいて地図を表示させて、当該地図上において広告対象物の位置指定を促し、広告依頼者の端末によって位置指定された広告対象物の座標を、当該端末によって入力された広告情報と関連づけて、前記サーバが前記記憶手段に登録すること、が容易に想到できたということはできない。
　したがって、上記相違点２および相違点３を検討するまでもなく、本件発明１は、甲第１号証、甲第２号証〜甲第８号証及び周知技術に基づいて当業者が容易に発明できたものとは認められない。
　
　本件発明２ないし本件発明７は、少なくとも本件発明１の構成要件を全て備えることを前提とした発明であるから、本件発明１と同じ理由で、当業者が容易に発明できたものとは認められない。
　
　
　６　むすび
　以上のとおりであるから，請求人の主張及び証拠方法によっては，本件特許の請求項１ないし７に係る発明の特許を無効とすることができない。
　
　審判に関する費用については，特許法１６９条２項の規定で準用する民事訴訟法６１条の規定により，請求人が負担すべきものとする。
　よって，結論のとおり審決する。